(57)【要約】【課題】扉開閉操作時において、ラッチがストライクに進入する際に発するラッチの衝突音を低減することができる反転ラッチ錠を提供する。【解決手段】ラッチガード５等の錠箱構成要素３に両側を反転且つ進退スライド移動するように案内支持されるラッチ４、およびラッチ４に設けられ、該ラッチ４にストライクへ向かって進出スライドさせる推力および反転力を惹起させるラッチバネ７を具備した扉の反転ラッチ錠１において、ラッチ４の移動速度を減速する移動速度減速手段を、ラッチ４または前記錠箱構成要素３，５に設けた。また、ラッチ４に設けられる移動速度減速手段は、ラッチ４に相対変位可能に受容され、ラッチバネ７の一端を支持するバネ受け部材６と、該バネ受け部材６に設けられ、錠箱構成要素３，５に常時付勢力を付与して該錠箱構成要素との間で摩擦抵抗を惹起させる摩擦抵抗惹起機構５，６，８，９とで構成される。【選択図】図１
2011052526.tif 000002
【特許請求の範囲】
【請求項１】
ラッチガード等の錠箱構成要素に両側を反転且つ進退スライドするように案内支持されるラッチ、および前記ラッチに設けられ、該ラッチにストライクへ向かって進出スライドさせる推力および反転力を惹起させるラッチバネを具備した扉の反転ラッチ錠において、前記ラッチの移動速度を減速する移動速度減速手段を、前記ラッチまたは前記錠箱構成要素に設けたことを特徴とする、
扉の反転ラッチ錠。
【請求項２】
前記ラッチに設けられる前記移動速度減速手段は、前記ラッチに相対変位可能に受容され、前記ラッチバネの一端を支持するバネ受け部材と、該バネ受け部材に設けられ、前記錠箱構成要素に常時付勢力を付与して該錠箱構成要素との間で摩擦抵抗を惹起させる摩擦抵抗惹起機構とで構成されることを特徴とする、
請求項１記載の扉の反転ラッチ錠。
【請求項３】
前記摩擦抵抗惹起機構は、前記バネ受け部材に前記スライドの方向とほぼ直交する方向に貫通して穿ったガイド穴と、該ガイド穴に縮設して収容される摩擦抵抗惹起バネと、該摩擦抵抗惹起バネ両端部に設けられ、前記錠箱構成要素に弾接する摩擦子とで形成されることを特徴とする、
請求項２記載の扉の反転ラッチ錠。
【請求項４】
前記摩擦抵抗惹起機構は、前記バネ受け部材に前記スライド方向とほぼ直交する方向に両側から穿って直列配置した２個のガイド穴と、該両ガイド穴に縮設して収容される２個の摩擦抵抗惹起バネと、該両摩擦抵抗惹起バネ端部に設けられ、前記錠箱構成要素に弾接する摩擦子とで形成されることを特徴とする、
請求項２記載の扉の反転ラッチ錠。
【請求項５】
前記摩擦抵抗惹起機構は、前記バネ受け部材に前記スライド方向とほぼ直交する方向に両側から穿って直列配置した２個のガイド穴と、該両ガイド穴に収容され、互いに反発して前記錠箱構成要素に摺接する２個の摩擦抵抗惹起磁石とで形成されることを特徴とする、
請求項２記載の扉の反転ラッチ錠。
【請求項６】
前記ラッチに設けられる前記移動速度減速手段は、前記ラッチに相対変位可能に設けた受容され、前記ラッチバネの一端を支持するバネ受け部材と、基部および該基部から相対向して後方に伸びる一対の屈曲した脚部を有するＵ字状の衝撃吸収用板バネと、前記基部を前記バネ受け部材に受容した前記板バネの両脚部を穴に常時弾接するように貫通させて支持するガイドプレートとを具備したことを特徴とする、
請求項１記載の扉の反転ラッチ錠。
【請求項７】
前記ラッチに設けられる前記移動速度減速手段は、前記ラッチに相対変位可能に設けたバネ受け部材、該バネ受け部材とガイドプレートとの間に縮設したコイル状の前記ラッチバネと、該ラッチバネの内部を通り一端がバネ受け部材に結合され、他端を後方に伸ばして前記ガイドプレートを貫通するスプリングガイドと、該スプリングガイド後方端部と前記ガイドプレートとの間に介装した衝撃吸収部材とで形成されることを特徴とする、
請求項１記載の扉の反転ラッチ錠。
【請求項８】
前記錠箱構成要素に設けられる前記移動速度減速手段は、前記ラッチに相対変位可能に受容され、前記ラッチバネの一端を支持するバネ受け部材と、該バネ受け部材を進退スライド可能に設けたラッチガードと、該ラッチガードと前記錠箱との間に設けられ、常時前記ラッチガードを後退位置へ付勢するトーションスプリングとを具備し、通常時、前記ラッチガードは前記ラッチバネの付勢力に抗して前記トーションスプリングのバネ付勢力により強制的に後退位置へ付勢されるが、前記ラッチを後退スライドさせる強制力が除荷されたとき、前記ラッチバネで前進スライドする前記ラッチが前記ラッチガードに衝合した後、前記トーションスプリングのバネ付勢力に抗して前記ラッチガードと一体になって前進するように構成されたことを特徴とする、
請求項１記載の扉の反転ラッチ錠。
【請求項９】
前記ラッチに設けられる前記移動速度減速手段は、前記ラッチに相対変位可能に受容され、前記ラッチバネの一端を支持するバネ受け部材と、該バネ受け部材とは別に設けられ、前記錠箱構成要素に常時付勢力を付与して該錠箱構成要素との間で摩擦抵抗を惹起させる摩擦抵抗惹起機構とで構成され、
前記摩擦抵抗惹起機構は、前記バネ受け部材のスライドに伴って回転駆動される筒状のピンと、前記ピンを回転可能に支持するガイド部と、前記ピンを前記ガイド部に向けて常時押圧し前記ピンの回転を規制するバネ部材と、を有して構成されたことを特徴とする、
請求項１記載の扉の反転ラッチ錠。
【請求項１０】
前記ラッチに設けられる前記移動速度減速手段は、前記ラッチに揺動するように軸支され、前記ストライクにカム接触可能に形成された揺動レバーと、該揺動レバーと前記ラッチとの間に設けた衝撃吸収バネとを具備し、前記揺動レバーが前記ストライクに衝合するとき、前記衝撃吸収バネを圧縮弾性変形させるように構成されたことを特徴とする、
請求項１〜９のいずれかに記載の扉の反転ラッチ錠。
【発明の詳細な説明】
【技術分野】
【０００１】
本発明は、錠箱内を反転自在にスライドするラッチを備えたプッシュプル用ラッチ錠装置に採用される「扉の反転ラッチ錠」に係り、扉を開閉する都度、後退位置からストライクに向かって前進スライド(突出)するときに、反転運動して定位置に復帰するラッチが扉の化粧板に衝突して発する衝撃音を、施解錠操作を確実に維持しながら低減、抑制する扉の反転ラッチ錠に関する。
【背景技術】
【０００２】
従来、反転(揺動)運動をするラッチを備えた型式の扉の反転ラッチ錠に関する技術には、特許文献１〜３に記載の技術がある。これらはラッチにストライク方向へのスライドおよび反転運動を確実かつ迅速に行わせるため、強力なバネ力を有するラッチバネを設けている。しかし、上記の特許文献１〜３の技術においては、扉開時、ラッチはラッチバネの付勢力に抗して揺動しながら一旦は錠箱内へ後退した後、再び反転して定位置(扉の完全開時または完全閉時におけるラッチ位置)に復帰する。このとき、ラッチは反転運動するときに扉に設けた化粧板に激突して異音(衝撃音)を発する。また、開ききった扉を閉じるときには、ラッチは反転することなくストライク側から外力を受けて錠箱内へラッチバネの付勢力に抗して強制的に後退スライド、すなわち、押し込められた後に、上記外力が除荷されるとラッチはいきなり前進スライドして上記の定位置に復帰する。このとき、ラッチバネのバネ力で前進スライドするラッチが化粧板に衝突して衝撃音を発する。係る扉開閉時の操作フィーリングを改善する技術として、例えば、特許文献４に記載された反転ラッチ錠の技術がある。これは化粧板開口の周縁の枠部材(ラッチガイドの側壁)に間隙を形成することで、ラッチ激突時の衝撃を緩和して静音効果を惹起する。
【先行技術文献】
【特許文献】
【０００３】
【特許文献１】特開平１−２１０５８３号公報
【特許文献２】実用新案登録第２５１３７０３号公報
【特許文献３】特開２００８−５０８６４号公報
【特許文献４】特開２００７−１３８５１５号公報
【発明の概要】
【発明が解決しようとする課題】
【０００４】
しかしながら、上記特許文献４の技術にあっては、付勢力を大きく設定したラッチバネを用いて扉の開閉時における施解錠操作を行う場合に、枠部材に間隙を形成するだけの消極的な静音構造ではラッチの衝撃音低減効果にも一定の限界があり、扉開閉操作フィーリングの維持向上を図る上で問題があった。
【０００５】
本発明は、上記問題点を解決するためになされたものであって、扉開閉操作時において、反転しながら前進スライドする場合のラッチの反転速度(揺動速度)、および後退位置から前進スライドする場合のラッチの前進スライド速度といった移動速度を、ラッチバネの付勢力を減殺して減速するという積極的な移動速度減速手段により減速し、ラッチが扉側の化粧板やラッチガードに激突するのを緩和することで、衝撃音を効果的に低減できる扉の反転ラッチ錠を提供することを目的とする。
【課題を解決するための手段】
【０００６】
（１）本発明は、ラッチガード等の錠箱構成要素に両側を反転且つ進退スライド移動するように案内支持されるラッチ、および前記ラッチに設けられ、該ラッチにストライクへ向かって進出スライドさせる推力および反転力を惹起させるラッチバネを具備した扉の反転ラッチ錠において、前記ラッチの移動速度を減速する移動速度減速手段を、前記ラッチまたは前記錠箱構成要素に設けたことを特徴とする、扉の反転ラッチ錠である。なお、錠箱構成要素とは、反転ラッチ錠を収容するケーシングをいい、「ラッチガード等の錠箱構成要素」とは、ラッチガード、および実質的に該ラッチガードの機能を該ケーシング自体に一体成形により形成したケーシングも含む概念である。
【０００７】
本発明によれば、ラッチまたはラッチガード等の錠箱構成要素に設けた移動速度減速手段により、扉開閉時にラッチバネの付勢力で首振りするように反転するラッチの反転速度(回転速度または揺動速度)、および後退位置からストライクへ向かって進出スライドする移動速度が減速される。このため、ラッチがストライクに入る際等におけるラッチのラッチガードおよび／または化粧板に対する衝撃力を緩和できる。したがって、通常の大きさを有する扉でも、また、ラッチバネのバネ力を大きく設定した大型の扉を製作する場合でも、確実な施解錠機能を確保しつつ、衝撃音を良好に低減でき、静粛性に優れた高級感豊かな扉の反転ラッチ錠を実現できるようになる。
【０００８】
(２)本発明はまた、前記ラッチに設けられる前記移動速度減速手段は、前記ラッチに相対変位可能に受容され、前記ラッチバネの一端を支持するバネ受け部材と、該バネ受け部材に設けられ、前記錠箱構成要素に常時付勢力を付与して該錠箱構成要素との間で摩擦抵抗を惹起させる摩擦抵抗惹起機構とで構成されることを特徴とする、前記(１)記載の扉の反転ラッチ錠である。
【０００９】
本発明によれば、バネ受け部材に設けた摩擦抵抗惹起機構により、ラッチの反転速度および前進スライドする移動速度を低減できる。これにより、ラッチがラッチガード等の錠箱構成要素および／または化粧板に激突する衝撃音(異音)が低減できるようになる。
【００１０】
(３)本発明はまた、前記摩擦抵抗惹起機構は、前記バネ受け部材に前記スライドの方向とほぼ直交する方向に貫通して穿ったガイド穴と、該ガイド穴に縮設して収容される摩擦抵抗惹起バネと、該摩擦抵抗惹起バネ両端部に設けられ、前記錠箱構成要素に弾接する摩擦子とで形成されることを特徴とする前記(２)記載の扉の反転ラッチ錠である。
【００１１】
本発明によれば、摩擦抵抗惹起機構を、摩擦抵抗惹起バネと、その両端部に設けた摩擦子とで構成し、これら摩擦子をラッチガードに弾接させるようにした。このため、ラッチが後退位置から前進スライドするときの移動速度、およびラッチが反転するときの反転速度は、摩擦子とラッチガード等の錠箱構成要素との間の摩擦抵抗により減速される。これにより、ラッチがラッチガード等の錠箱構成要素に衝突するときの衝撃力が低減され、衝撃音(異音)を小さくできるようになる。
【００１２】
(４)本発明はまた、前記摩擦抵抗惹起機構は、前記バネ受け部材に前記スライド方向とほぼ直交する方向に両側から穿って直列配置した２個のガイド穴と、該両ガイド穴に縮設して収容される２個の摩擦抵抗惹起バネと、該両摩擦抵抗惹起バネ端部に設けられ、前記錠箱構成要素に弾接する摩擦子とで形成されることを特徴とする前記(２)記載の扉の反転ラッチ錠である。
【００１３】
本発明によれば、摩擦抵抗惹起機構を、２個のガイド穴と、各ガイド穴に縮設する２個の摩擦抵抗惹起バネと、該両バネの端部に設けた摩擦子とで構成し、両摩擦子をラッチガード等の錠箱構成要素に弾接させるようにした。ラッチが後退位置から前進スライドするときの移動速度、およびラッチが反転するときの反転速度(回転速度または揺動速度)は、摩擦子とラッチガード等の錠箱構成要素との間の摩擦抵抗により効率よく減速される。これにより、上記(４)の発明とほぼ同様に、ラッチがラッチガード等の錠箱構成要素に衝突するときの衝撃力が低減され、衝撃音(異音)を小さくできるようになる。
【００１４】
(５)本発明はまた、前記摩擦抵抗惹起機構は、前記バネ受け部材に前記スライド方向とほぼ直交する方向に両側から穿って直列配置した２個のガイド穴と、該両ガイド穴に収容され、互いに反発して前記錠箱構成要素に摺接する２個の摩擦抵抗惹起磁石とで形成されることを特徴とする前記(２)記載の扉の反転ラッチ錠である。
【００１５】
本発明によれば、上記(４)の発明における２個の摩擦抵抗惹起バネに替えて、２個の摩擦抵抗惹起磁石に置き換えて摩擦抵抗惹起機構を構成したので、磁性の反発力により各磁石を離反する方向に付勢してラッチガード等の錠箱構成要素に摺接させるようにした。そのため、ラッチが後退位置から前進スライドするときの移動速度、およびラッチが反転するときの反転速度は、上記磁石とラッチガード等の錠箱構成要素との間の摩擦抵抗により減速される。これにより、上記(４)や(６)の発明とほぼ同様に、ラッチがラッチガード等の錠箱構成要素に衝突するときの衝撃力が低減され、衝撃音(異音)を小さくできるようになる。
【００１６】
(６)本発明はまた、前記ラッチに設けられる前記移動速度減速手段は、前記ラッチに相対変位可能に受容され、前記ラッチバネの一端を支持するバネ受け部材と、基部および該基部から相対向して後方に伸びる一対のくの字に屈曲した脚部を有するＵ字状の衝撃吸収用板バネと、前記基部を前記バネ受け部材に受容した前記板バネの両脚部を穴に常時弾接するように貫通させて支持するガイドプレートとを具備したことを特徴とする前記(１)記載の扉の反転ラッチ錠である。
【００１７】
本発明によれば、くの字状に屈曲形成した板バネの脚部をガイドプレートの穴に常時摺接するように貫通しているので、板バネとガイドプレートとの間に生じる摩擦抵抗と、板バネ自体が惹起する弾性変形とにより、ラッチのスライド速度や反転移動速度を減速し、衝撃音を緩和することができるようになる。
【００１８】
(７)本発明はまた、前記ラッチに設けられる前記移動速度減速手段は、前記ラッチに相対変位可能に設けたバネ受け部材、該バネ受け部材とガイドプレートとの間に縮設したコイル状の前記ラッチバネと、該ラッチバネ７の内部を通り一端がバネ受け部材６に結合され、他端を後方に伸ばして前記ガイドプレートを貫通するスプリングガイドと、該スプリングガイド自由端部と前記ガイドプレートとの間に介装した衝撃吸収部材とで形成されることを特徴とする前記(１)記載の扉の反転ラッチ錠である。
【００１９】
本発明によれば、ラッチの後方スライド時に圧縮されているラッチバネに作用する外力が除荷されたとき、ラッチバネのバネ付勢力が瞬間的に開放される。このため、ラッチは前進スライドし、衝撃吸収部材はスプリングガイド自由端部により弾性圧縮変形を受ける。このとき、衝撃吸収部材が有する衝撃力吸収機能により、ラッチのスライド移動および反転運動の速度が減速される。これにより、ラッチが化粧板、ラッチガード等の錠箱構成要素に衝突するときの衝撃音(異音)を軽減できるようになる。
【００２０】
(８)本発明はまた、前記錠箱構成要素に設けられる前記移動速度減速手段は、前記ラッチに相対変位可能に受容され、前記ラッチバネの一端を支持するバネ受け部材と、該バネ受け部材を進退スライド可能に設けたラッチガードと、該ラッチガードと前記錠箱との間に設けられ、常時前記ラッチガードを後退位置へ付勢するトーションスプリングとを具備し、通常時、前記ラッチガードは前記ラッチバネの付勢力に抗して前記トーションスプリングのバネ付勢力により強制的に後退位置へ付勢されるが、前記ラッチを後退スライドさせる強制力が除荷されたとき、前記ラッチバネで前進スライドする前記ラッチが前記ラッチガードに衝合した後、前記トーションスプリングのバネ付勢力に抗して前記ラッチガードと一体になって前進するように構成されたことを特徴とする前記(１)記載の扉の反転ラッチ錠である。
【００２１】
本発明によれば、ラッチバネよりもバネ定数の大きなバネ定数を有するトーションスプリングを、ラッチガードと錠箱との間に設けた。このため、扉開閉時に定位置(扉の完全開位置および／または完全閉位置)にあるラッチが化粧板から外へ突出する際、すなわち、前進スライドする途中で、ラッチはラッチガードと係合する。その後、ラッチはトーションスプリングのバネ付勢力に抗してラッチガードと一体に前進スライドする。これにより、トーションスプリングによりラッチの具有するスライド速度が減速され、運動エネルギーが減殺される。すなわち、ラッチの回転速度やスライドする移動速度が低減され、ラッチが化粧板、錠箱、ラッチガード等の錠箱構成要素に激突するのを緩和できるようになる。そして、ラッチが錠箱から突出しきった後は、ラッチガードはトーションスプリングのバネ付勢力により上記定位置へ自動復帰するようになる。
【００２２】
本発明はまた、前記ラッチに設けられる前記移動速度減速手段は、前記ラッチに揺動するように軸支され、前記ストライクにカム接触可能に形成された揺動レバーと、該揺動レバーと前記ラッチとの間に設けた衝撃吸収バネとを具備し、前記揺動レバーが前記ストライクに衝合するとき、前記衝撃吸収バネを圧縮弾性変形させるように構成されたことを特徴とする扉の反転ラッチ錠である。
【００２３】
本発明によれば、衝撃吸収バネを介して揺動レバーがラッチに軸支されることで移動速度減速手段が構成される。このため、扉閉時、ラッチがストライクにラッチに衝合するとき、揺動レバーは衝撃吸収バネを圧縮弾性変形させながら衝合するので、ラッチの移動速度および揺動速度を減速する。これにより、ラッチがストライクに衝突する際に発生する音を効果的に低減できるようになる。
【発明の効果】
【００２４】
本発明によれば、移動速度減速手段を設けることで、扉開閉操作時において、反転しながら前進スライド場合のラッチの反転速度(揺動速度または回転速度)、および後退位置から前進スライドする場合のラッチの前進スライド速度といった移動速度を、ラッチバネの付勢力を減殺して減速することで、扉側の化粧板やラッチガード等の錠箱構成要素に激突する衝撃力を低減し、衝撃音を効果的に低減できる。
【図面の簡単な説明】
【００２５】
【図１】本発明の第１実施形態に係り、(ａ)は扉の反転ラッチ錠の概要構成を示す側面図、(ｂ)はその平面図である。
【図２】おなじく、第１実施形態の反転ラッチ錠を分解して示した外観斜視図である。
【図３】おなじく、第１実施形態のラッチに係り、(ａ)〜(ｄ)はその４面図、(ｅ)は(ａ)のＡ−Ａ線における矢視断面図である。
【図４】おなじく、ラッチの作用を平面図で示した説明図である。
【図５】第２実施形態に係り、(ａ)は反転ラッチ錠の側面図、(ｂ)はその平面図、(ｃ)は反転ラッチ錠の組み立て分解を示す外観斜視図である。
【図６】第３実施形態に係り、(ａ)は反転ラッチ錠の正面図、(ｂ)は側面図、(ｃ)は平面図、(ｄ)はバネ受け部材の三面図、(ｅ)は磁石の二面図である。
【図７】第４実施形態に係り、(ａ)は反転ラッチ錠の正面図、(ｂ)は側面図、(ｃ)は平面図、(ｅ)はガイドプレートの正面図、(ｆ)はその側面図、(ｇ)はバネ受け部材の４面図である。
【図８】第５実施形態に係り、(ａ)は反転ラッチ錠の正面図、(ｂ)は側面図、(ｃ)は平面図である。
【図９】おなじく、(ａ)はラッチの側面図、(ｂ)はその平面図、(ｃ)はバネ受け部材の側面図、(ｄ)はその平面図、(ｅ)は正面図、(ｆ)はガイドプレートの正面図、(ｇ)はその側面図である。
【図１０】おなじく、反転ラッチ錠の作用説明図で、(ａ)はその側面図、(ｂ)は平面図である。
【図１１】第６実施形態に係り、(ａ)は反転ラッチ錠の側面図、(ｂ)はその側面図である。
【図１２】おなじく、(ａ)はラッチの側面図、(ｂ)はその平面図、(ｃ)はラッチガードの三面図、(ｄ)はトーションスプリングの二面図である。
【図１３】おなじく、第６実施形態に係る反転ラッチ錠の作用説明図である。
【図１４】第７実施形態に係り、(ａ)はその組み立て分解を示す外観斜視図、(ｂ)および(ｃ)はラッチの外観斜視図、(ｄ)はストライクとラッチとの関係を示す作用説明図である。
【図１５】本発明の第８実施形態に係り、(ａ)は扉の反転ラッチ錠の概要構成を示す側面図、(ｂ)はその断面図である。
【発明を実施するための形態】
【００２６】
以下、図面を用いて、本実施形態に係る扉の反転ラッチ錠について詳述する。
【００２７】
＜第１実施形態＞
【００２８】
図１〜図４は第１実施形態に係り、図１(ａ)は扉の反転ラッチ錠の概要構成を示す側面図、同図(ｂ)はその平面図、図２は反転ラッチ錠を分解して示した外観斜視図、図３はラッチに係り、(ａ)〜(ｄ)はその４面図、(ｅ)は(ａ)のＡ−Ａ線における矢視断面図、図４はラッチの作用を平面図で示した説明図である。
【００２９】
＜反転ラッチ錠の概要構成＞
【００３０】
図１に示す扉の反転ラッチ錠１の概要構成を説明すると、不図示の扉端面に化粧板(フロント板)２が設けられ、不図示の扉開口縁に設けたストライクと対面するようになっている。化粧板２の内側(後方)には反転ラッチ錠１が錠箱３内に格納され、反転ラッチ錠１の主構成要素であるラッチ４がラッチガード５に沿ってストライクへ向かって反転しながら前進スライドし、また、これとは反対に後退スライドする、すなわち、ラッチ４が錠箱３の内外を出没変位することで、反転ラッチ錠１の施解錠が行われるようになっている。
【００３１】
反転ラッチ錠１は図２、図３に示すように、平面視でほぼ平行四辺形状をなすラッチ４と、化粧板２に固着される一対のラッチガード５と、ラッチ４の凹部４ａにラッチ４に相対変位可能に設けられるバネ受け部材６と、バネ受け部材６とラッチガード５との間に縮設されるコイルスプリング(以下、「ラッチバネ」という)７と、バネ受け部材６にラッチ４がスライドする方向にほぼ直交する方向に貫通して穿たれたガイド穴６ａと、ガイド穴６ａに縮設して収容されるコイル状の摩擦抵抗惹起バネ８と、ガイド穴６ａに収容され、かつ、該バネ８の両端に設けた摩擦子としての２個のピン９との要素からなる。
【００３２】
＜ラッチ＞
【００３３】
反転ラッチ錠１を構成する各要素をより具体的に説明する。ラッチ４は上記の特許文献記載のラッチと同様に、例えば不図示のプッシュプル式のハンドル操作を行うことで、ラッチ４の上下両面にハンドル操作に連動する不図示のリンクが係脱する。ハンドルが操作されない場合には、該リンクがラッチ４に係合し、ラッチ４の反転(揺動、回転)やスライド動作を拘束する。ハンドル操作がなされる場合には、上記のリンクがラッチ４から解脱してフリーな状態となり、図４(ｂ)に示す状態から同図(ａ)の状態への反転動作が許容され、これにより扉の開閉操作が可能となるように構成される。
【００３４】
また、ラッチ４の上下両面には後述するラッチガード５との間でカム接触が可能な突起４ｂが形成され、この突起４ｂを揺動中心としてラッチ４が上記ラッチバネ７のバネ付勢力により反転動作がなされるようになっている。
【００３５】
＜ラッチバネ＞
【００３６】
ラッチバネ７は図１(ａ)に示すラッチ４およびバネ受け部材６の中心軸線Ｌ上に配置される。これにより、ラッチ４を常時ストライクの方向へ進出させる（押し出す）ことで、ラッチ４に推力と反転力が惹起される。したがって、扉の完全閉時または完全開時には、ラッチ４は図１(ａ)、(ｂ)および図４(ａ)に示すように、突起４ｂがラッチガード５に形成したＬ字状のストッパ部５ｂに係合する位置まで前進スライドし、最大突出量が規定されるようになっている。
【００３７】
図４(ａ)に示す扉の完全閉時において、扉を矢印Ａ方向へ開くとき、ラッチ４は不図示のストライクから外力Ｆを受ける。これにより、ラッチ４は一旦、右方へ若干後退しながら突起４ｂを揺動中心として図４(ｂ)のように強制的に回転する。ラッチ４に外力Ｆが作用しなくなると、すぐさまラッチ４はラッチバネ７のバネ付勢力により、突起４ｂを揺動中心とし、突起４ｂの対角に存する曲面をなす作用部４ｃを作用点として回転モーメントを受ける。これにより、ラッチ４は図４(ａ)に示す状態に自動復帰するようになっている。
【００３８】
また、図４(ａ)が扉の完全開時の状態にあるとすると、これを閉じる場合には、ラッチ４の傾斜面部４ｄはストライクから外力を受ける。そのため、ラッチ４は揺動することなく、そのまま右方へ最大後退量だけスライドして後退させられる。ストライクを乗り越えた後、外力が除荷されるので、ラッチ４はラッチバネ７のバネ付勢力により突起４ｂがストッパ部５ｂに衝合する位置まで、瞬時に進出スライドし、図４(ａ)に示す状態で扉を施錠するようになっている。
【００３９】
＜ラッチガード＞
【００４０】
各ラッチガード５にはスライド方向に伸びる２本のガイドスリット５ａが形成されている。ガイドスリット５ａには後述するバネ受け部材６に形成したスライダ部６ｂが摺動できるように係合する。
【００４１】
＜バネ受け部材＞
【００４２】
バネ受け部材６の両側面には２個のスライダ部６ｂが突設され、ガイドスリット５ａに摺動可能に係合されるように組み込まれる。バネ受け部材６は左方側を尖らせた変形六角形の縦断面形状を有し、ラッチバネ７のバネ付勢力が効率よくラッチ４へ伝達されるようにしている。こうして、ラッチ４およびバネ受け部材６の両側をラッチガード５で狭持させることで、バネ受け部材６がガイドスリット５ａで案内されてスライドする。これにより、ラッチ４がバネ受け部材６と一体にスライドできるようになっている。
【００４３】
＜ラッチに設けられる移動速度減速手段＞
【００４４】
この「ラッチに設けられる移動速度減速手段」は、バネ受け部材６と、後述する摩擦抵抗惹起機構とで形成される。したがって、バネ受け部材６に設けた摩擦抵抗惹起機構により、ラッチ４の反転運動やスライド運動時に、摩擦抵抗惹起機構に起因する摩擦抵抗により、ラッチ４に作用するラッチバネ７のバネ付勢力が減殺され、ラッチ４の運動速度(移動速度)が減速できる。
【００４５】
＜摩擦抵抗惹起機構＞
【００４６】
また、バネ受け部材６のガイド穴６ａに収容される２個のピン９は、それぞれラッチガード５内面に摩擦抵抗惹起バネ８により常時弾接し、ラッチ４のスライド時等に摩擦抵抗が惹起するようになっている。こうして、ガイド穴６ａと、摩擦抵抗惹起バネ８と、ピン９とで摩擦抵抗惹起機構が形成されることとなる。
【００４７】
こうして、上記の各要素を組み立てることで、図１に示す第１実施形態の扉の反転ラッチ錠が構成されることとなる。
【００４８】
本第１実施形態によれば、図４(ａ)に示すように、閉じた状態の扉を開く場合には、ラッチ４はストライクから外力Ｆを受けて、突起４ｂを揺動中心にして図４(ｂ)のように後退スライドしながら揺動する。ストライクを乗り越えた後、ラッチ４から外力Ｆが除荷され、ラッチ４はラッチバネ７により同図(ａ)の状態に反転して自動復帰する。このとき、突起４ｂはストッパ部５ｂに、傾斜面部４ｅは継承板２に衝突するが、移動速度減速手段、すなわち、摩擦抵抗惹起機構を形成するピン８と、ラッチガード５との間における摩擦抵抗によりラッチ４の反転速度および後退位置からストライクへ向かって進出スライドする移動速度が減速される。このため、ラッチがストライクに入る際等におけるラッチ４のラッチガード５に対する衝撃力が緩和され、衝撃音(異音)の発生を抑制できる。
【００４９】
＜第２実施形態＞
【００５０】
図５(ａ)は第２実施形態における扉の反転ラッチ錠の側面図、同図(ｂ)はその平面図、同図(ｃ)はラッチ４とバネ受け部材６との組み立てを分解して示す外観斜視図である。
【００５１】
本第２実施形態が上記の第１実施形態と構成上相違する点は、第１実施形態ではバネ受け部材６に１個のガイド穴６ａを形成し、そこに１個の摩擦抵抗惹起バネ８を設けたが、本第２実施形態ではスライド方向とほぼ直交する方向に両側から穿って直列配置した２個のガイド穴６ｃと、各ガイド穴６ｃに対応して収容される２個の摩擦抵抗惹起バネ８ａを設けた点でのみ相違し、その他の構成は両者実質的に同じである。
【００５２】
本第２実施形態によれば、摩擦抵抗惹起機構を、ほぼ四角形の縦断面形状を有するバネ受け部材６に穿った２個のガイド穴６ｃと、各ガイド穴６ｃに縮設する２個の摩擦抵抗惹起バネ８ａと、該両バネ８ａの端部に設けた摩擦子としてのピン９とで構成し、両ピン９をラッチガード５に常時弾接させるようにした。
【００５３】
このため、ピン９とラッチガード５との間に生じる摩擦抵抗により、ラッチ４の移動速度および反転移動速度を低減でき、第１実施形態とほぼ同様に、ラッチ４がラッチガード５あるいは化粧板２等に衝突する際、その衝撃力が低減され、衝撃音(異音)を小さくできる。
【００５４】
＜第３実施形態＞
【００５５】
図６は第３実施形態の三面図に係り、(ａ)は正面図、(ｂ)は側面図、(ｃ)は平面図、(ｄ)はバネ受け部材６の三面図、(ｅ)は摩擦抵抗惹起磁石(以下、「磁石」という)１０の断面図である。なお、図６ではラッチバネ７の図示は割愛している。
【００５６】
本第３実施形態における摩擦抵抗惹起機構は、バネ受け部材６にスライド方向とほぼ直交する方向に両側から穿って直列配置した２個のガイド穴６ａと、両ガイド穴６ａに収容され、互いに反発してラッチガードに向かって摺接する２個の磁石１０とで形成される点を特徴とする。その他の構成は第１実施形態と実質的に同一である。
【００５７】
すなわち、第３実施形態では、上記第２実施形態における２個の摩擦抵抗惹起バネ８ａの代わりに、２個の磁石１０で置き換え、かつ、磁性の反発力を利用し、各磁石１０が互いに磁力で離反する態様で直列配置した。このため、磁石１０がラッチガード等の錠箱構成要素３に摺接され、ラッチが後退位置から前進スライドするときの移動速度、およびラッチが反転するときの反転速度を減速することができる。これにより、ラッチ４がラッチガード等の錠箱構成要素３に衝突するときの衝撃力が低減され、衝撃音(異音)を小さくできる。なお、ラッチガード等の錠箱構成要素３を金属などで構成し、磁石１０と錠箱構成要素３が互いに引き合う力を利用することによって、ラッチが後退位置から前進スライドするときの移動速度、およびラッチが反転するときの反転速度を減速してもよい。
【００５８】
＜第４実施形態＞
【００５９】
図７(ａ)〜(ｃ)は第４実施形態の三面に係り、(ａ)は正面図、（ｂ）は側面図、（ｃ）は平面図、（ｄ）は衝撃吸収用板バネの三面図、(ｅ)はガイドプレートの正面図、(ｆ)はその側面図、(ｇ)はスプリングガイドの４面図である。なお、図７(ａ)〜(ｃ)には、ラッチバネ７の図示は割愛することとした。
【００６０】
本第４実施形態は、「ラッチに設けられる前記移動速度減速手段」を、ラッチ４に受容され不図示のラッチバネの一端を支持するバネ受け部材６と、基部１１ａおよび該基部１１ａから相対向して後方に伸びる一対のくの字に屈曲形成した脚部１１ｂを有するＵ字状の衝撃吸収用板バネ(以下、「板バネ」という)１１と、基部１１ａをバネ受け部材６に受容した板バネ１１の両脚部１１ｂを穴１２ａに常時摺接するように貫通させて支持するガイドプレート１２とを具備したことを特徴とする。その他の構成は第１実施形態と実質的に同一である。
【００６１】
本第４実施形態によれば、バネ受け部材６に板バネ１１の基部１１ｂを嵌め込む。くの字状に屈曲形成した板バネ１１の脚部１１ｂは、ガイドプレート１２の穴１２ａに常時摺接するように貫通される。このため、板バネ１１とガイドプレート１２との間に生じる摩擦抵抗により、ラッチのスライド速度や反転運動の速度を減速し、衝撃音を緩和することができる。
【００６２】
＜第５実施形態＞
【００６３】
図８〜図１０に示す第５実施形態を説明する。第５実施形態は、「ラッチに設けられる前記移動速度減速手段」の一要素としてゴムクッション１４ｂを利用した点のみにおいて、上記各実施形態と構成を異にし、その他の構成は共通する。
【００６４】
すなわち、第５実施形態におけるラッチ４に設けられる移動速度減速手段は、ラッチ４に相対変位可能に設けたバネ受け部材６と、該バネ受け部材６とガイドプレート１３との間に縮設したコイル状のラッチバネ７と、該ラッチバネ７の内部を通り一端がバネ受け部材６に結合され、他端を後方に伸ばしてガイドプレート１３を貫通する棒状のスプリングガイド１４と、該スプリングガイド１４自由端部とガイドプレート１３との間に介装した衝撃吸収部材１５とで形成される。
【００６５】
より具体的には、バネ受け部材６に植設されるスプリングガイド１４はガイドプレート１３の穴部１３ａを貫通すると共に、その自由端にストッパ部１４ａが形成される。ストッパ部１４ａとガイドプレート１３との間に、衝撃吸収部材としてのゴムクッション１４ｂが介装される。ラッチバネ７はバネ受け部材６とガイドプレート１３との間に縮設され、ガイドプレート１３はラッチガード５に沿ってスライド可能に案内支持される。その結果、ラッチ４はラッチバネ７のバネ付勢力により、常時不図示のストライク方向へバネ付勢されるようになっている。
【００６６】
こうして、ラッチ４に外力が作用しないとき、すなわち、扉が完全開時のとき、または完全閉時のときは、ラッチ４は図８(ｂ)、(ｃ)に示す最大前進位置にスライドする状態にある。扉を開閉操作すると、ラッチ４にストライク側から外力が作用し、図１０(ａ)、(ｂ)に示すように、ラッチバネ７を圧縮弾性変形させながら、ラッチ４は錠箱３，すなわち、ガイドプレート１３の奥へ強制的にスライドさせられ、スプリングガイド１４はガイドプレート１３を右方へストロークして伸張する。
【００６７】
したがって、本第５実施形態によれば、図１０に示すようにガイドプレート１３へ押し込められたラッチ４が、図８に示すように外方へ突出して前進スライドする場合には、ゴムクッション１４ｂがガイドプレート１３とストッパ部１４ａとの間で圧縮弾性変形を受ける。これにより、ゴムクッション１４ｂがその衝撃吸収機能により、ラッチ４がスライドする移動速度および反転運動する揺動速度を円滑に減速できる。その結果、ラッチが錠箱構成要素に衝突するときの衝撃音(異音)を軽減できる。
【００６８】
＜第６実施形態＞
【００６９】
図１１〜図１３に示す第６実施形態を説明する。第６実施形態は「ラッチに設けられる移動速度減速手段」を特徴とする上記第１〜第５実施形態に対して、ラッチガード(錠箱構成要素の一要素)に移動速度減速手段を設けた点で大きく構成を相違する。すなわち、ラッチガード１５を錠箱構成要素であるガイドプレート１６に対して進退スライドできるようにし、且つ、該ガイドプレート１６と錠箱構成要素である錠箱ケーシングとの間にラッチバネ７よりもバネ定数が大きなトーションスプリング１７が設けられる。係る「錠箱構成要素に設けられる移動速度減速手段」により、ラッチ４の移動速度をトーションスプリング１７で減速するようにした点を特徴とする。以下、具体的に説明する。
【００７０】
ラッチ４は図１２(ａ)、(ｂ)に示すように上記の各実施形態のそれをほぼ同じ構造である。ラッチ４の凹部４ａには図１３に示すバネ受け部材６が相対変位可能に受容される。バネ受け部材６と錠箱２との間にラッチバネ７が縮設される。
【００７１】
＜ラッチガード＞
【００７２】
ラッチガード１５には図１２(ｃ)に示すようにスリット１５ａが形成され、ラッチ４の両側に配され、上下対象にして挟むように設けられる。ラッチ４はスリット１５ａに沿って進退スライドできるように組み込まれ、バネ受け部材６を進退スライドするようになっている。また、ラッチガード１５にはトーションスプリング１７の一端を係止させる係止部１５ｂと、ガイドプレート１６に形成した不図示のスリットに沿ってスライドするスライダ部１５ｃと、ラッチ４および化粧板２に係合する角状のストッパ部１５ｄとが設けられる。
【００７３】
＜トーションスプリング＞
【００７４】
トーションスプリング１７はその一端を係止部１５ｂに、他端を錠箱３にそれぞれ係止される。ラッチガード１５はトーションスプリング１７のバネ付勢力により常時後方へスライドするように付勢する。
【００７５】
＜ガイドプレート＞
【００７６】
図１２(ｃ)、図１３(ａ)に示すように、錠箱３内に設けたガイドプレート１６に形成した不図示のスリットに、ラッチガード１５のスライダ部１５ｃが摺接し、ラッチガード１５がガイドプレート１６に対して進退スライドできるようになっている。
【００７７】
こうして、図１２に示す各構成要素をガイドプレート１６に組み込むと、図１１に示すように、トーションスプリング１７を利用した態様の「「移動速度減速手段」を有する第６実施形態が得られる。
【００７８】
本第６実施形態によれば、ラッチバネ６７よりもバネ定数の大きなバネ定数を有するトーションスプリング１７を、ラッチガード１５と錠箱３との間に設けた。このため、扉が扉の完全開位置または完全閉位置にある定位置においては、ラッチ４とラッチガード１５との相対位置関係は図１３(ａ)に示す状態にある。ラッチ４にストライクからの外力が作用して押し込められると、ラッチ４はバネ受け部材６と共にラッチガード１５に沿ってラッチバネ７のバネ付勢力に抗して同図(ｂ)のように後退スライドする。ラッチ４に作用する外力が除荷されると、同図(ｃ)のようにラッチ４はラッチバネ７のバネ付勢力によりラッチガード１５に沿って前進スライドし、その途中から、ラッチ４はラッチガード１５とストッパ部１５ｄに係合する。係合した後、ラッチ４はラッチガード１５と一体になってトーションスプリング１７のバネ付勢力に抗して前進スライドし、ラッチガード１５の先端が化粧板２より突出し、化粧板に衝合して停止する。ラッチ４が突出しきった後は、ラッチ４はトーションスプリング１７のバネ付勢力により図１３(ｄ)に示す状態、すなわち定位置に復帰する。
【００７９】
このように、ラッチ４がラッチガード１５と一体になった状態で化粧板２に衝合するまでの間、ラッチバネ７に起因するラッチ４のスライド速度および反転速度がトーションスプリング１７のバネ付勢力により減速される。これにより、ラッチが化粧板、ラッチガード等に衝突する際の衝撃力を激突するのが緩和される。したがって、扉開閉時におけるラッチ４による衝撃音を円滑に低減できる。
【００８０】
＜第７実施形態＞
【００８１】
図１４に示す本第７実施形態は、ラッチ４自体に、衝撃吸収バネとしてのコイルスプリング１８によりバネ反力をかけた揺動レバー１９を設けた構成を特徴とする。
【００８２】
すなわち、本第７実施形態における「ラッチに設けられる前記移動速度減速手段」は、ストライク２０に衝合可能な揺動アーム１９がピン部１９ａを介してラッチ４に枢着される。揺動アーム１９は傾斜面部４ｄのほぼ中央に形成した溝４ｈに出入りできるように配置される。ラッチ４に形成した窪み４ｆと揺動アーム１９との間にコイルスプリング１８が設けられる。これにより、揺動アーム１９はピン部１９ａを揺動中心として揺動(回転)する。このとき、揺動アーム１９は図１４(ｄ)に示すように、角度θの範囲で揺動できる。こうして、図１４(ａ)に示すように、ラッチ４にラッチケース４ｇが被着され、図１４(ｂ)、(ｃ)に示す外観を有するラッチ４が構成される。なお、本第７実施形態は上記の第１〜６実施形態のラッチ４に応用することも可能である。
【００８３】
本第７実施形態によれば、扉閉時、ラッチ４がストライク２０に衝合するとき、揺動アーム１９はコイルスプリング１８を圧縮弾性変形させながら衝合する。これにより、ラッチ４の移動速度および反転速度をコイルスプリング１８が圧縮弾性変形をすることでストライク２０に対する衝撃を緩和できる。その結果、ラッチ４がストライク２０に衝突する際に発生する音を効果的に低減できるようになる。
【００８４】
＜第８実施形態＞
【００８５】
次に、図１５に示す第８実施形態について説明する。なお、同図は、本発明の第８実施形態に係り、(ａ)は扉の反転ラッチ錠の概要構成を示す側面図、(ｂ)は（ａ）に示す矢印方向の断面図である。
【００８６】
この第８実施形態に係る反転ラッチ錠は、上述の第１実施形態に係る反転ラッチ錠の移動速度減速手段に代えて、ギア付きバネ受け部材２６と、後述する摩擦抵抗惹起機構とで構成される移動速度減速手段を備える。
【００８７】
ギア付きバネ受け部材２６の基本的な構造は、上記バネ受け部材６とほぼ同じであるが、ギヤ付きバネ受け部材２６の上面には、長手方向に沿ってギア２６ａが形成されている点が異なっている。
【００８８】
摩擦抵抗惹起機構は、錠箱３の底面に固定された箱状の第１ガイド部２８および第２ガイド部３０と、第１ガイド部２８の内側に形成された円筒状凹部に回転可能に収容・支持される第１ピン３２と、一端が第１ピン３２に対して長手方向にスライド可能に嵌合されるとともに他端が第２ガイド部３０の内側に形成された円筒状凹部に回転可能に収容・支持される第２ピン３４と、第１ピン３２と第２ピン３４との間に縮設されて第１ピン３２と第２ピン３４を互いに離反する方向に付勢するバネ部材３６と、を有して構成されている。
【００８９】
また、第２ピン３４の外周面には、ギア付きバネ受け部材２６に形成されたギヤ２６ａと噛合可能なギヤ３４ａが全周に亘って形成されている。なお、図示はしないが、第１ガイド部２８と第１ピン３２との摺動部と、第２ガイド部３０と第２ピン３４との摺動部には、グリスが塗布されている。
【００９０】
第８実施形態に係る反転ラッチ錠では、ラッチ４が同図（ｂ）に示す復帰状態になった場合、ギヤ付きバネ受け部材２６が摩擦抵抗惹起機構の方向（図の右方向）に向かってスライドする。ギヤ付きバネ受け部材２６がスライドすると、ギヤ付きバネ受け部材２６のギヤ２６ａおよび第２ピン３４のギヤ３４ａを介して、第２ピン３４が回転駆動されるとともに、この第２ピン３４に嵌合された第１ピン３２も第２ピン３４とともに回転駆動される。この際、第１ピン３２と第２ピン３４はバネ３６によって互いに離反する方向に付勢されるため、第１ピン３２は、第１ガイド部２８の内面に常時押圧された状態で第１ガイド部２８によって回転が規制され、第２ピン３４は、第２ガイド部３０の内面に常時押圧された状態で第２ガイド部３０によって回転が規制される。このように、第２ピン３４の回転が規制されることによって、バネ受け部材２６のスライドの速度が緩和され、ラッチ４の移動速度および反転移動速度を低減でき、第１実施形態とほぼ同様に、ラッチ４がラッチガード５あるいは化粧板２等に衝突する際、その衝撃力が低減され、衝撃音(異音)を小さくすることができる。
【００９１】
なお、本発明は、上記実施形態に限られるものではなく、その趣旨及び技術思想を逸脱しない範囲で種々の変形が可能である。
【００９２】
例えば、上記の各実施形態ではラッチバネ７をバネ受け部材６とラッチガード５，１５との間に縮設する態様で説明したが、ラッチガードの代わりに、錠箱を形成する要素であればこれに限定されることはなく、錠箱構成要素であればなんでもよい。
【００９３】
また、バネ受け部材６を第１実施形態のように変形六角形に形成したが、これを第２実施形態のように四角形の形態であってもよく、逆に、第２実施形態等に四角形のバネ受け部材６を変形六角形の形態にしてもよい。
【産業上の利用可能性】
【００９４】
本発明は錠箱内を反転自在にスライドするラッチを備えたプッシュプル用ラッチ錠装置に採用される「扉の反転ラッチ錠」に利用される。
【符号の説明】
【００９５】
１  反転ラッチ錠
２  化粧板
３  錠箱
４  ラッチ
４ａ  凹部  
４ｂ  突起
４ｃ  作用部
４ｄ  傾斜面部
４ｅ  傾斜面部
５  ラッチガード
５ａ  スリット
６  バネ受け部材
６ａ  ガイド穴
６ｂ  スライダ部
６ｃ  ガイド穴
７  ラッチバネ
８、８ａ  摩擦抵抗惹起バネ
９  ピン
１０  摩擦抵抗惹起磁石
１１  衝撃吸収用板バネ
１２  ガイドプレート
１３  ガイドプレート
１４  スプリングガイド
１４ａ  ストッパ部
１４ｂ  ゴムクッション
１５  ラッチガード
１５ａ  スリット
１５ｄ  ストッパ部
１６  ガイドプレート
１７  トーションスプリング
１８  コイルスプリング
１９  揺動アーム
２６  ギア付きバネ受け部材
２８  第１ガイド部
３０  第２ガイド部
３２  第１ピン
３４  第２ピン
３６  バネ部材
Ｆ  外力
Ｌ  中心軸線
【図１】
2011052526.tif 000003
【図２】
2011052526.tif 000004
【図３】
2011052526.tif 000005
【図４】
2011052526.tif 000006
【図５】
2011052526.tif 000007
【図６】
2011052526.tif 000008
【図７】
2011052526.tif 000009
【図８】
2011052526.tif 000010
【図９】
2011052526.tif 000011
【図１０】
2011052526.tif 000012
【図１１】
2011052526.tif 000013
【図１２】
2011052526.tif 000014
【図１３】
2011052526.tif 000015
【図１４】
2011052526.tif 000016
【図１５】
2011052526.tif 000017